(57)【特許請求の範囲】
【請求項１】
建物の開口部の開口縁に沿って配置され、前記開口部を開閉する引戸を支持するものであって、
引戸の配設位置から板厚方向へ変位させて開口縁に配置される固定ガイド部と、引戸の配設位置に対して前記固定ガイド部を隠蔽する位置に設けられる化粧面とを具備し、前記固定ガイド部に引戸の開閉方向に沿って可動部を移動可能に支持させてリニアガイド機構を構成するとともに、この可動部の一部を前記化粧面と干渉しないように引戸の配設位置に持ち出して、この持ち出し端側に引戸を取り付けているとともに、
固定ガイド部が、中空体状をなす枠材の内部に収容されており、その枠材の外壁の一部を前記化粧面として利用し、前記枠材の一部が、引戸の隣接位置に配置される非可動部を支持する支持枠として機能し、
リニアガイド機構の可動部の一部である可動ブラケットの頂壁及び外起立壁を前記化粧面と干渉しないように引戸の配設位置に持ち出し、この持ち出し端側に位置する外起立壁に引戸の上保護枠を取り付け、この引戸の上保護枠の下端の高さ位置と支持枠の下端の高さ位置とを略一致させているとともに、前記枠材を引戸の配設位置から板厚方向に変位させた位置に配置していることを特徴とする引戸の支持装置。
【請求項２】
枠材は、少なくとも一部がチャネル状をなすものであり、引戸と略直交する底壁及び引戸と略平行をなす起立壁が前記化粧面として機能している請求項１記載の引戸の支持装置。
【請求項３】
化粧面と開口縁との間に、引戸の開閉方向に延びるスリット状の隙間を形成し、この隙間を介して可動部の一部を持ち出している請求項１又は２記載の引戸の支持装置。
【請求項４】
化粧面に、引戸の開閉方向に延びるスリットを形成し、このスリットを貫通して可動部の一部を持ち出している請求項１又は２記載の引戸の支持装置。
【請求項５】
固定ガイド部若しくは可動部の何れか一方に突条を形成するとともに、他方に溝を形成し、これら突条と溝とを係わり合わせて前記リニアガイド機構を構成している請求項１、２、３又は４記載の引戸の支持装置。
【請求項６】
開口縁を開口部の上縁とし、この上縁に引戸の上端部を吊り下げた状態に支持している請求項１、２、３、４又は５記載の引戸の支持装置。
【請求項７】
引戸の下端部を自由端とし、当該引戸と、隣接位置に配置される非可動部との召し合わせ部分若しくはその近傍部分のみに、引戸の下端部を開閉方向に案内する下ガイド部材を設けている請求項６記載の引戸の支持装置。
【請求項８】
請求項１〜７のいずれかに記載の支持装置によって引戸を支持するようにしていることを特徴とする間仕切り。
【発明の詳細な説明】
【０００１】
【発明の属する技術分野】
本発明は、建物の開口部を開閉する引戸を見栄え良く簡易に支持し得るようにした引戸の支持装置に関するものである。
【０００２】
【従来の技術】
建物の居住空間を区成する手段として、間仕切りが利用されているのは周知のところである。そして、かかる間仕切りによって囲まれた部屋に出入りするために、間仕切りの一部に開口を形成して引戸を配し、これを出入口とすることが行われている。
【０００３】
【発明が解決しようとする課題】
ところで、従来よりこの種の引戸として、少なくとも引戸の下端部に車輪やガイドローラを設け、これを床上に転動させながら開口を開閉すべく引戸を作動させるようにしたものがある。しかしながら、このようにすると、車輪等が通過する床がカーペット等のように柔らかいものである場合にはレールが必要になるため、床に段差ができて出入りの妨げになるという不都合がある。また、たとえ床がある程度硬いものであっても、頻繁に引戸の車輪等が通過すると、床に傷や変形が生じることは避け難いものである。
【０００４】
これに対して、引戸を吊り下げて支持すべく、開口の上縁近傍にレールを設ける一方、引戸の上端にブラケットを介して車輪等を設け、この車輪等をレール上に引っ掛けるように係わり合わせることによってレールに引戸を吊り下げた状態に支持させて、引戸の下端側を基本的に自由端としたものも考えられている。しかしながら、このようにすると開口からレール付近が視認され、引戸を上端側でのみ支持することによりレール構造自体が大掛かりになりがちであることも相俟って、見栄えが損なわれることが避け難いものとなる。また、このようにすると、下端がフラついて引戸の開閉にガタつきが生じ易くなるため、何らかの手立てを講じることも必要になる。
【０００５】
さらに、引戸の厚み内において上端や下端に車輪等を配置すると、この車輪等が引戸と開口縁との間に介在する分だけ有効開口が小さくなるため、開口を最大限に有効利用したいとき等には不都合である。
【０００６】
本発明は、このような課題に着目してなされたものであって、外観良好にして引戸を吊り下げた状態その他片持ち的な状態等に有効に支持することができ、必要に応じてその機能をより充実したものにできるようにした引戸の支持装置を提供することを目的としている。
【０００７】
【課題を解決するための手段】
本発明は、かかる目的を達成するために、次のような構成を採用したものである。
【０００８】
すなわち、本発明に係る引戸の支持装置は、建物の開口部の開口縁に沿って配置され、前記開口部を開閉する引戸を支持するに際して、引戸の配設位置から板厚方向へ変位させて開口縁に配置される固定ガイド部と、引戸の配設位置に対して前記固定ガイド部を隠蔽する位置に設けられる化粧面とを具備し、前記固定ガイド部に引戸の開閉方向に沿って可動部を移動可能に支持させてリニアガイド機構を構成するとともに、この可動部の一部を前記化粧面と干渉しないように引戸の配設位置に持ち出して、この持ち出し端側に引戸を取り付けているとともに、固定ガイド部が、中空体状をなす枠材の内部に収容されており、その枠材の外壁の一部を前記化粧面として利用し、前記枠材の一部が、引戸の隣接位置に配置される非可動部を支持する支持枠として機能し、リニアガイド機構の可動部の一部である可動ブラケットの頂壁及び外起立壁を前記化粧面と干渉しないように引戸の配設位置に持ち出し、この持ち出し端側に位置する外起立壁に引戸の上保護枠を取り付け、この引戸の上保護枠の下端の高さ位置と支持枠の下端の高さ位置とを略一致させているとともに、前記枠材を引戸の配設位置から板厚方向に変位させた位置に配置しているものである。
【０００９】
このようにすると、引戸側から見て、固定ガイド部と可動部の間が化粧面の背後に隠蔽され、視認されなくなるので、固定ガイド部と可動部との間に構成されるリニアガイド機構がたとえ大掛かりなものになっても、それが外部に露出して見栄えが損なわれることを有効に防止することができる。このため、外観良好にして、支持状態の安定した引戸の支持装置を実現することが可能となる。また、固定ガイド部は、引戸の配設位置から板厚方向へ変位した位置に設けてあり、引戸と開口縁との間に介在するものではないため、開口を実質的に狭めることがなく、開口を最大限に有効利用したい場合等に有効な構造となる。加えて、固定ガイド部が、中空体状をなす枠材の内部に収容されており、その枠材の外壁の一部を前記化粧面として利用し、前記枠材の一部が、引戸の隣接位置に配置される非可動部を支持する支持枠として機能するように構成しているので、引戸と、その引戸の隣接位置に配置される非可動部との間に外観上の連続性をもたせることができる。
【００１０】
具体的な実施の態様としては、固定ガイド部が、中空体状をなす枠材の内部に収容されており、その枠材の外壁の一部を前記化粧面として利用しているものが挙げられる。例えば、枠材は少なくとも一部がチャネル状をなし、引戸と略直交する底壁及び引戸と略平行をなす起立壁が前記化粧面として機能しているようなものである。
【００１１】
可動部の一部を化粧面と干渉することなく持ち出すための簡易な構造としては、化粧面と開口縁との間に引戸の開閉方向に延びるスリット状の隙間を形成するようにしたものや、化粧面に引戸の開閉方向に延びるスリットを形成するようにしたもの等が挙げられる。
【００１２】
リニアガイド機構は、固定ガイド部若しくは可動部の何れか一方に突条を形成するとともに、他方に溝を形成し、これら突条と溝とを係わり合わせた構成からなるものが的確である。
【００１３】
本発明は、以上のような構成であるから、開口縁を開口部の上縁とし、引戸の上端部をこの上縁に吊り下げた状態に支持する場合に極めて有用なものとなる。
【００１４】
このような吊り下げタイプのものにおいて、フラつきを生じることなく引戸の下端部を自由端として歩行やキャスタ等の移動の妨げとなることを防止するためには、当該引戸と、隣接位置に設けた非可動部との召し合わせ部分若しくはその近傍部分のみに、引戸の下端部を開閉方向に案内する下ガイド部材を設けておくことが望ましい。
【００１６】
適用対象となる開口部としては、天井と床の間を間仕切る可動間仕切りに付帯されるものにあっては天井から床までの開口が、欄間の下に配置される引戸にあっては床から欄間までの開口が、窓のように起立壁の一部に設けられるものにあっては当該窓に対応する開口がそれぞれ挙げられる。
【００１７】
【発明の実施の形態】
以下、本発明の一実施形態を、図面を参照して説明する。
【００１８】
図１に示すように、この実施形態の支持装置は、間仕切りの引戸Ｄに適用されるもので、建物の天井Ｈと床Ｆとの間にあって且つガラス等のパネル体を組み込んだ非可動部Ｌと支柱Ｐとの間に形成される開口部Ｓに対し、ガラス等を組み込んだ引戸Ｄを、非可動部Ｌの隣接位置に移動させることによって当該開口部Ｓを閉止させ、非可動部Ｌと略重合する位置に移動させることによって当該開口部Ｓを開成させるものである。
【００１９】
そのために、この支持装置は、図２、図３及び図４に示すように、引戸Ｄの配設位置から板厚方向へ変位させて開口縁Ｓ１に配置される固定ガイド部１と、引戸Ｄの配設位置に対して前記固定ガイド部１を隠蔽する位置に設けられる化粧面Ｋとを具備する。そして、前記固定ガイド部１に引戸Ｄの開閉方向に沿って可動部２を移動可能に支持させることによりリニアガイド機構を構成するとともに、この可動部２の一部を前記化粧面Ｋと干渉しないように引戸Ｄの配設位置に持ち出して、この持ち出し端側に引戸Ｄを取り付けている。
【００２０】
具体的に説明すると、この引戸Ｄの支持装置は、図４及び図５に示すように、水平壁１１ａ及び垂下壁１１ｂからなる逆Ｌ字状の固定ブラケット１１を足場とするもので、この固定ブラケット１１の水平壁１１ａは非可動部Ｌ、引戸Ｄの可動領域及び開口部Ｓの全領域に略対応する位置の上方に広がる平面形状をなし、垂下壁１１ｂはその水平壁１１ａの他端側より下方に向けて一体的に突出して設けられている。そして、固定ガイド部１は、前記垂下壁１１ｂ及びこの垂下壁１１ｂに取り付けられる固定レール１２からなる。この実施形態は、前記水平壁１１ａの一端側を引戸Ｄの可動領域とし、また他端側を非可動部Ｌの配置領域並びに開口部Ｓの開口位置として設定しているもので、垂下壁１１ｂ及び固定レール１２は引戸Ｄの配設位置から板厚方向へ変位した部位に位置している。固定ブラケット１１の垂下壁１１ｂの内面には、長手方向に沿って連続する溝１１ｃが形成してあり、固定レール１２をこの溝１１ｃに嵌め込んだ状態に取り付けている。
【００２１】
固定レール１２は、長尺な角材状のもので、その横断面は上面１２ａ及び下面１２ｂの中央部分が凹んだ形状をなしており、長手方向の適宜部位を前記固定ブラケット１１に止め具１３により固定されている。
【００２２】
しかして、この固定ガイド部１は、開口部Ｓの上方から非可動部Ｌの上方に亘って延びているもので、非可動部Ｌはこの固定ガイド部１の下方の片半部領域に位置づけられ、中空体状をなす枠材３の一部を利用して取り付けられている。すなわち、枠材３は、底壁３１ａの両側に起立壁３１ｂを有する上向きチャネル状のもので、前記固定ガイド部１を下方から覆うようにして前記固定ブラケット１１の垂下壁１１ｂに取り付けられている。そして、この枠材３の中空部に底壁３１ａに平行な内壁３１ｃを設け、これら底壁３１ａ、起立壁３１ｂ及び内壁３１ｃを支持枠３１Ａとして機能させて、この支持枠３１Ａに前記非可動部Ｌの上端部Ｌ１を支持させている。底壁３１ａの一部は着脱可能なカバーＣ１、Ｃ２になっており、支持枠３１Ａとして機能させるときはカバーＣ２にスリットを有するものを使用するが、開口部Ｓにおいては支持枠３１Ａは不要であるため、カバーＣ２にスリットを有しないものを使用する。
【００２３】
しかして、この枠材３の外壁の一部、すなわち引戸Ｄと直交する底壁３１ａ及び引戸Ｄと平行をなす起立壁３１ｂを、固定ガイド部１を引戸Ｄの配設位置から隠蔽するための化粧面Ｋとして機能させている。
【００２４】
一方、リニアガイド機構を構成する可動部２は、前記固定レール１２に係わり合わせて取り付けられる一対のスライダ２１と、それらのスライダ２１に取り付けられる可動ブラケット２２とからなる。スライダ２１は、断面略コ字形をなし、その一部に形成される溝２１ａを介して前記固定レール１２の上下面１２ａ、１２ｂ及び一側面１２ｃの三面を抱くように係わり合うもので、固定レール１２の上下面１２ａ、１２ｂに対応する位置にボール（図示省略）を多数有し、実際はころがりによるが、見掛け上、固定レール１２の長手方向に沿ってスライド移動するものである。勿論、これ以外の支持構造を採用することは可能である。可動ブラケット２２は、前記スライダ２１の起立面２１ｂに当てがって適宜部位を止め具２３により固定される内起立壁２２ａと、この内起立壁２２ａに連続する頂壁２２ｂ及び外起立壁２２ｃからなる下向きチャネル状のもので、頂壁２２ｂは少なくとも前記固定レール１２よりも高位置に配置されている。そして、外起立壁２２ｃに引戸Ｄの上保護枠４を止め具４１により固定し、この止め具４１を含む上端部Ｄ１をカバーＣ４により被覆するようにしている。
【００２５】
すなわち、本実施形態における化粧面Ｋと開口縁Ｓ１との間には、引戸Ｄの開閉方向に延びるスリット状の隙間Ｔが形成されるものであり、この隙間Ｔを介して可動部２の一部である可動ブラケット２２の頂壁２２ｂ及び外起立壁２２ｃからなるアングル部分を引戸Ｄの配設位置に持ち出されており、この外起立壁２２ｃに引戸Ｄを取り付けているものである。
【００２６】
さらに、このように構成された引戸Ｄの下端部Ｄ１は自由端となっている。そこで、本実施形態は、引戸Ｄと、図６に示すように隣接する非可動部Ｌの縦枠との召し合わせ部分ないしその近傍部分Ｘのみに、引戸Ｄの下端部Ｄ１を開閉方向に案内する下ガイド部材５を設けている。この下ガイド部材５は、前記召し合わせ部分ないしその近傍部分Ｘにおいて床Ｆにプレート５１（図３参照）を固定し、このプレート５１の長手方向間欠位置よりガイドローラ５２を立ち上げたもので、このガイドローラ５２を、引戸Ｄの下端部Ｄ２を構成する下向きチャネル状の枠材Ｄ２１の内部に係わり合わせているものである。召し合わせ部分ないしその近傍部分Ｘとは、引戸Ｄを全閉にした際に非可動部Ｌとの間に残る重合部分と、引戸Ｄを全開にした際に非可動部Ｌとの間に残る非重合部分とを含む領域をいう。前者の重合部分は、引戸Ｄがガイドされなくなる状態を作らないために必要であり、後者の非重合部分は把手やストッパーなどとの関係で通常生じる引き残しを利用するという趣旨によるものである。
【００２７】
なお、この支持装置のメンテナンス等の便のために、枠材３はカバーＣ３及び止め具３２を外すことによって固定ブラケット１１から外れるようになっており、支持枠３１Ａは、その一部を構成するカバーＣ１、Ｃ２を外すことによって非可動部Ｌに挟み込んで固定されているパネル体を外せるようになっており、引戸Ｄはその上端部Ｄ１に設けたカバーＣ４を外し、当該引戸Ｄを可動ブラケット２２に取り付けている止め具４１を外すことによって当該可動ブラケット２２から外せるようになっている。可動ブラケット２２は、止め具２３を外すことによってスライダ２１から外せるものである。
【００２８】
以上のように、本実施形態の支持装置は、引戸Ｄの配設位置から板厚方向へ変位させて開口縁Ｓ１に配置される固定ガイド部１と、引戸Ｄの配設位置に対して前記固定ガイド部１を隠蔽する位置に設けられる化粧面Ｋとを具備し、前記固定ガイド部１に引戸Ｄの開閉方向に沿って可動部２を移動可能に支持させてリニアガイド機構を構成するとともに、この可動部２の一部を前記化粧面Ｋと干渉しないように引戸Ｄの配設位置に持ち出して、この持ち出し端側に引戸Ｄを取り付けるようにしたものである。
【００２９】
このようにすると、引戸Ｄ側から見て、固定ガイド部１と可動部２の間が化粧面Ｋの背後に隠蔽され、視認されなくなるので、固定ガイド部１と可動部２との間に構成されるリニアガイド機構がたとえ大掛かりなものになっても、それが外部に露出して見栄えが損なわれることを有効に防止することができる。このため、外観良好にして、支持状態の安定した引戸Ｄの支持装置を実現することが可能となる。また、固定ガイド部１は、引戸Ｄの配設位置から板厚方向へ変位した位置に設けてあり、引戸Ｄと開口縁Ｓ１との間に介在するものではないため、仮に非可動部Ｌの支持枠３１Ａを開口部Ｓまで延ばさない構造にすれば、開口を最大限に確保した状態で引戸Ｄを支持する構造を有効に実現することが可能となる。
【００３０】
具体的な構造として本実施形態は、固定ガイド部１を、中空体状をなす枠材３の内部に収容し、その枠材３の外壁の一部を前記化粧面Ｋとして利用するようにしているため、固定ガイド部１を引戸Ｄの配設位置のみならず開口部Ｓその他どこから見ても隠蔽された状態ないしそれに近い状態を有効に実現することができるだけでなく、埃等が進入して可動部分が作動不良に陥ることを有効に防止することができ、メンテナンスの手間も有効に削減することができる。
【００３１】
より具体的に本実施形態は、枠材３をチャネル状のものにし、引戸Ｄと略直交する底壁３１ａ及び引戸Ｄと略平行をなす起立壁３１ｂを主に前記化粧面Ｋとして機能させているため、構造簡素であり、また着脱容易性を損なうことなく上記のような隠蔽効果を有効に確保することができる。
【００３２】
特に、化粧面Ｋと、開口縁Ｓ１である天井面との間に引戸Ｄの開閉方向に延びるスリット状の隙間Ｔを形成し、隙間Ｔを介して可動部２の一部を持ち出しているため、隠蔽効果を損なうことなく、化粧面Ｋとの干渉を効果的に回避することができる。
【００３３】
また、リニアガイド機構の固定ガイド部１として突条の固定レール１２を設け、可動部２として前記固定レール１２に対向する位置に溝２１ａを有するスライダ２１を設けて、固定レール１２と溝２１ａとを係わり合わせているため、比較的簡易な構成ながら的確なガイド作用を得ることができる。特に、この実施形態のものは、固定レール１２の３面をコ字形のスライダ２１が抱くように係わり合っているため、上記の機能を有効に担保することができる。
【００３４】
本実施形態は、以上のような構成であるから、開口縁Ｓ１を開口部Ｓの上縁とし、引戸Ｄの上端部Ｄ１をこの上縁に吊り下げた状態に支持する場合に極めて適した構造となる。
【００３５】
また、このような吊り下げタイプのものであっても、当該引戸Ｄと、隣接する非可動部Ｌの縦枠との召し合わせ部分若しくはその近傍部分Ｘのみに、引戸Ｄの下端部Ｄ２を開閉方向に案内する下ガイド部材５を設けているため、引戸Ｄにフラつきを生じさせることがなく、また引戸Ｄの下端部Ｄ２を自由端としたメリットすなわち歩行やキャスタ等の移動の妨げとならないというメリットを妨げることにもならない。
【００３６】
さらに、前記枠材３の一部を、引戸Ｄの隣接位置に配置される非可動部Ｌを支持する支持枠３１Ａとして機能させるようにしているため、引戸Ｄと、その引戸Ｄの隣接位置に配置される非可動部Ｌとの間で、枠の連続性を確保することができ、外観を一体性のあるすっきりしたものにしておくことができる。
【００３７】
なお、各部の具体的な構成は、上述した実施形態のみに限定されるものではなく、本発明の趣旨を逸脱しない範囲で種々変形が可能である。
【００３８】
例えば、化粧面Ｋと干渉することなく可動部２の一部を引戸Ｄの配設位置に持ち出す構造として、化粧面Ｋに引戸Ｄの開閉方向に延びるスリットを形成しておく態様なども有効である。
【００３９】
【発明の効果】
本発明に係る引戸の支持装置は、以上説明した構成であるから、外観良好にして引戸を吊り下げた状態その他片持ち的な状態等に有効に支持することができ、必要に応じて引戸のフラつき防止や最大有効開口の確保などの手立ても的確に講じることが可能となる。
【図面の簡単な説明】
【図１】本発明の一実施形態における引戸の支持装置を適用した建物の一部を示す概略図。
【図２】図１におけるａ−ａ線拡大端面図。
【図３】図１におけるｂ−ｂ線拡大端面図。
【図４】図２の要部拡大図。
【図５】同実施形態における要部分解斜視図。
【図６】同実施形態におけるｃ−ｃ線拡大端面図。
【符号の説明】
１…固定ガイド部
２…可動部
３…枠材
３１ａ…底壁
３１ｂ…起立壁
３１Ａ…支持枠
５…下ガイド部材
Ｄ…引戸
Ｋ…化粧面
Ｌ…非可動部
Ｓ…開口部
Ｓ１…開口縁
【図１】
0003953881.tif 000002
【図２】
0003953881.tif 000003
【図３】
0003953881.tif 000004
【図４】
0003953881.tif 000005
【図５】
0003953881.tif 000006
【図６】
0003953881.tif 000007